(57)【要約】【課題】  取扱に注意が必要な治療器を含む組合せ治療器に操作パネルの他にリモコンが備えられている場合に、組合せ治療器を構成する複数の治療器を誤操作なく使用でき、また、第三者が操作パネルを操作しても少なくとも取扱に注意が必要な治療器が操作できない組合せ治療器を提供する。【解決手段】  組合せ治療器を構成する要注意治療器を操作する場合にはリモコン１４のみによって行うことができ、本体に配設された操作パネル１２によっては行うことができないので、使用者がリモコン１４を携帯している場合には、第三者が要注意治療器を操作することはできず安全に治療を受けることができると共に、使用者自身も第三者が操作することができないことを認識することで安心してリラックスした状態で治療を受けることができる。【選択図】  図２
2006149558.tif 000002
【特許請求の範囲】
【請求項１】
取扱に注意が必要な要注意治療器を含み、操作パネルの他にリモコンが備えられている組合せ治療器において、
前記リモコンのみによって要注意治療器を操作することができることを
特徴とする組合せ治療器。
【請求項２】
前記請求項１に記載の組合せ治療器において、
前記操作パネルのみによって前記要注意治療器以外の他治療器を操作することができることを
特徴とする組合せ治療器。
【請求項３】
前記請求項１または２に記載の組合せ治療器において、
前記リモコンで電位治療に係る設定を全て行った後にまとめて本体に制御信号を送信することを
特徴とする組合せ治療器。
【請求項４】
前記請求項１ないし３のいずれかに記載の組合せ治療器において、
操作パネルの操作をできないようにするロック機能を有し、前記リモコンのみによって当該ロック機能の有効及び無効を操作することを
特徴とする組合せ治療器。
【発明の詳細な説明】
【技術分野】
【０００１】
本発明は、場合によっては危険性を有する取扱に注意が要注意治療器を含む組合せ治療器に関し、特に、組合せ治療器を構成する要注意治療器と他の機器との操作に関する。
【背景技術】
【０００２】
本発明の組合せ治療器の背景技術に該当するものに、特開２００２−１２６０９７号公報に開示される電気治療器がある。
この背景技術となる電気治療器は、治療器本体と、該治療器本体に配されてなる電位治療部及び低周波治療部とより構成されてなり、前記電位治療部が電位治療状態にあっても、低周波治療指示が働くと、低周波治療部がオンになり、電位治療部がオフに切り替わる構成である。この背景技術となる電気治療器によれば、電位治療部と低周波治療部とが一体なのでコンパクトになり、保管性が優れる。また、電位治療部が電位治療状態にあっても、低周波治療部がオンになり、電位治療部がオフに切り替わるので、前記電位治療部による放電などが生じない。
【特許文献１】特開２００２−１２６０９７号公報
【発明の開示】
【発明が解決しようとする課題】
【０００３】
前記背景技術に係る電気治療器は以上のように構成され、電位治療器のような高電位を使用して場合によっては危険性を有する取扱に注意が必要な治療器を含む組合せ治療器を使用する場合に、組合せ治療器を構成する取扱に注意が必要な治療器とその他の治療器とを一般的に同一の操作パネルで使用するため、誤操作により取扱に注意が必要な治療器が動作して危険があるという課題を有する。また、一般の電気機器において、本体に操作パネルを有し、別途遠隔に操作可能にすべくリモコンを備えているものが数多く存在する。そして、治療器においても椅子式マッサージ機などにはリモコンが備えられているものもある。使用者はリモコンを常に携帯することはできても、操作パネルを常に近くに置いておくことはできず、子供やペットによるイタズラ等により使用者以外の第三者が操作パネルを操作することができ、前記取扱に注意が必要な治療器をかかる第三者に操作された場合には危険が生じ、また、実際に危険が生じなくとも他のものに使用されるという不安感は払拭できないという課題を有する。さらに、チャイルドロック等のロック機能によりロックした場合であっても、ロックがその第三者より解除されることにより、同様な課題が残存する。
【０００４】
本発明は前記課題を解決するためになされたものであり、取扱に注意が必要な治療器を含む組合せ治療器に操作パネルの他にリモコンが備えられている場合に、組合せ治療器を構成する複数の治療器を誤操作なく使用でき、また、第三者が操作パネルを操作しても少なくとも取扱に注意が必要な治療器が操作できない組合せ治療器を提供することを目的とする。
【課題を解決するための手段】
【０００５】
本発明に係る組合せ治療器は、取扱に注意が必要な要注意治療器を含み、操作パネルの他にリモコンを備え、前記リモコンのみによって要注意治療器を操作することができるものである。このように本発明においては、組合せ治療器を構成する要注意治療器を操作する場合にはリモコンのみによって行うことができ、本体に配設された操作パネルによっては行うことができないので、使用者がリモコンを携帯している場合には、第三者が要注意治療器を操作することはできず安全に治療を受けることができると共に、使用者自身も第三者が操作することができないことを認識することで安心してリラックスした状態で治療を受けることができる。
【０００６】
また、本発明に係る組合せ治療器は必要に応じて、前記操作パネルのみによって前記要注意治療器以外の他治療器を操作することができるものである。このように本発明においては、組合せ治療器を構成する他治療器が操作パネルのみによって操作することができ、すなわち、リモコンでは要注意治療器のみ操作でき、リモコンでは他治療器を操作できないので、使用者がリモコンにて他治療器を操作しようとして要注意治療器を誤操作することがなく、リモコンを使用することは要注意治療器を操作することになって、慎重を期すため誤操作の可能性を低減することができる。
【０００７】
また、本発明に係る組合せ治療器は必要に応じて、前記リモコンで電位治療に係る設定を全て行った後にまとめて本体に制御信号を送信するものである。このように本発明においては、前記リモコンで要注意治療器に係る設定を全て行った後にまとめて本体に制御信号を送信するので、一設定毎に制御信号を送信する場合には使用者はその設定を一々確認しない傾向にあり、また、このような確認が面倒で利便性に劣るが、全設定を行って制御信号を送信することで最終的な確認を全設定を行うだけで確認を行い易く、利便性を低下させることなく誤操作を防止することができる。
【０００８】
また、本発明に係る組合せ治療器は、操作パネルの操作をできないようにするロック機能を有し、前記リモコンのみによって当該ロック機能の有効及び無効を操作するものである。このように本発明においては、操作パネルの操作をできないようにするロック機能を有し、前記リモコンのみによって当該ロック機能の有効及び無効を操作するので、使用者がリモコンを携帯している場合であって、ロック機能を有効にしているときには、リモコンのみによって組合せ治療器を構成する治療器を操作することができ、第三者が治療器を操作することを完全に防止することができ、安全に使用ができると共に、第三者による治療器の操作がないとう安心感のもとでリラックスして治療を受けることができる。一般家電の中にも、洗濯機等の子供を危険にさらすようなものに対してはチャイルドロック機能が配設されている場合もあるが、本発明では組合せ治療器において構成する要注意治療器に対する操作はリモコンを所持又は隠すことで子供等の使用を防止することができ、他治療器等の操作はロック状態にして使用させないようにすることができる。
【発明を実施するための最良の形態】
【０００９】
（本発明の第１の実施形態）
本発明の第１の実施形態に係る組合せ治療器について、図１ないし図７に基づき説明する。図１は本実施形態に係る組合せ治療器の本体、通電シート等の斜視図、図２は本実施形態に係る組合せ治療器の操作パネル、リモコンの正面図、図３は本実施形態に係る組合せ治療器の全体ブロック図、図４は本実施形態に係る組合せ治療器の低周波回路部のブロック構成図、図５は本実施形態に係るマイナスイオン発生器を配設した組合せ治療器の斜視図及び背面図、図６は本実施形態に係る組合せ治療器の表示部の表示態様図、図７は本実施形態に係る組合せ治療器のステートチャート図である。
【００１０】
本実施形態に係る組合せ治療器は、取扱に注意が必要な要注意治療器である電位治療器を含み、操作パネル１２の他にリモコン１４を備え、前記リモコン１４のみによって要注意治療器を操作することができる構成である。また、操作パネル１２のみによって前記要注意治療器以外の他治療器である低周波治療器を操作することができる構成である。さらに、前記リモコン１４で電位治療に係る設定を全て行った後にまとめて本体に制御信号を送信する構成である。
【００１１】
前記要注意治療器は、本実施形態においては高電圧を取り扱う電位治療器であるが、機能又は組合せ治療器を構成する治療器によっては低周波治療器を要注意治療器となる場合がある。すなわち、要注意治療器とは、使用に際して使用者の注意を必要とする治療器である。さらに言えば、組合せ治療器は複数の治療器からなるのであるが、要注意治療器は構成要素となる治療器のうち注意が必要な治療器をいう。例えば、低周波治療器が痛みを有するが効果の高い特有の治療をすることができる場合、痛みが伴うため要注意治療器として扱い、電位治療器を他治療器として扱うこともできる。
前記制御信号は、無線又は有線の通信回線を介してリモコン１４から本体１０へ送信される信号であり、使用者の操作指示に係るものである。
【００１２】
以下、これらの構成を具体的な電位治療器にあてはめて説明を行う（図１参照）。この組合せ治療器１０の前記電位治療器は、外装体の正面上部に液晶ディスプレイ１１、操作パネル１２及びスピーカ１３を有し、外装体内部に制御マイコン２１、高圧トランス等からなる電気回路部２０を備え、前記操作パネル１２以外で遠隔に操作可能なリモコン１４を備える構成である。本体１０以外の構成としては、被治療者自体を高電位にするための通電シート３０と、被治療者の患部を局所的に高電位にする局所導子４０とがある。本組合せ治療器は、低周波治療も可能であり、前記電気回路部２０とは他に低周波治療のための低周波回路部６０を備える。また、この組合せ治療器の外装体の上部は、マイナスイオン発生器５０を装着可能な形状となっている。さらに、組合せ治療器の外装体の背面には、前記リモコン１４を収納するリモコン収納部１６を備える。
【００１３】
前記電気回路部２０は、操作パネル１２又はリモコン１４上の各ボタンの入力を受け、出力電圧の制御及びその他の制御を行う制御マイコン２１と、リモコン１４からの入力を受信するための受光部２２と、制御マイコン２１が動作するための情報が格納されている記憶部２３と、交流電圧を高交流電圧に変圧する高圧トランス２４、各種結線、スイッチ等のその他の電気部品からなる回路部分２５とからなる。
【００１４】
前記リモコン１４は、図２（ｂ）に示すように、開始ボタン１４ａ、停止ボタン１４ｂ、一時停止ボタン１４ｃ、電圧ボタン１４ｄ、波形ボタン１４ｅ及び時間ボタン１４ｆを有する。開始ボタン１４ａは動作を開始させるためのボタンである。停止ボタン１４ｂは動作を停止させるためのボタンである。一時停止ボタン１４ｃは動作を一次停止させるためのボタンである。電圧ボタン１４ｄは、本電位治療器が用意する３種類の電位（３０００[ｖ]、６０００[ｖ]、９０００[ｖ]）を選択するためのボタンである。波形ボタン１４ｅは、本電位治療器が用意する４種類の波形（標準波形、ゆらぎ波形、歪波形、ゆらぎ＆歪波形）を選択するためのボタンである。時間ボタン１４ｆは本電位治療器が動作する３種類の駆動時間（２０[分]、４０[分]、６０[分]）を選択するためのボタンである。電圧ボタン１４ｄ、波形ボタン１４ｅ及び時間ボタン１４ｆの周辺にはそれぞれ電圧LED１５ｄ、波形LED１５ｅ及び時間LED１５ｆが隣接して配設されており、どの項目が選択状態にあるのかを示す。このリモコン１４からは入力信号が発信され、発信された入力信号は受光部２２で受信され、制御マイコン２１に入力される。このリモコン１４から最初の入力信号が発信された後、制御マイコン２１側は所定期間かかる入力信号を受信可能とし、動作を開始しないこととする。
【００１５】
前記スピーカ１３は、リモコン１４からの入力を電位治療器の本体１０を受信した場合、駆動動作を行っている場合に、使用者にかかる旨を認識させるために音を発する。また、電位治療器の誤動作、故障を使用者に知らせる場合にも音を発する。
【００１６】
前記通電シート３０は、高電位を印加可能に高圧トランス２４と接続したカーボンシートと、このカーボンシートを被覆する絶縁性のゴムを成形したゴムシートと、このゴムシートを被覆する布性の外装シートとの３層からなる。
【００１７】
前記局所導子４０は、先端部分４１が金属で形成されており、かかる先端部分４１の金属に被治療者の患部が接触することで、接触している患部が高電位となる。また、この局所導子４０の先端方向は手持ち部分４２からそのまま延出形成されず、先端部分４１が手持ち部分４１から曲折して形成されている。被治療者の利便性を向上させるための形状となっている。この局所導子４０は、局所導子用ジャック４３に接続して使用を行う。この局所導子用ジャック４３も、電位治療用ジャック１９と同様に制御マイコン２１が取り扱う。
【００１８】
前記低周波治療は、電位治療でも使用している前記液晶ディスプレイ１１、操作パネル１２及びスピーカ１３を用いて、操作パネル１２からの入力は前記制御マイコン２１を介して低周波回路部６０が受ける（後記する低周波マイコン６１ａが直接操作パネル１２との電気的接続を有して操作パネル１２からの入力を受ける構成であってもよい）。低周波回路部６０以外の構成としては、実際に患部に当接して電気刺激を与える２つ一組の組パッド８と、かかる組パッド８の一端に形成されたプラグ８３を挿入する外装体の操作パネル付近に形成されている低周波治療用ジャック１８とを備える。低周波回路部６０は、図４に示すように、操作パネル１２上の各ボタンの入力を前記制御マイコン２１を介して受け、低周波用出力電圧の制御及びその他の制御を行う低周波マイコン６１ａと、この低周波マイコン６１ａが施療若しくは表示の動作のために用いるマッサージ情報及び表示情報を記憶する低周波用記憶部６１ｂと、この低周波用記憶部６１ｂから低周波マイコン６１ａが読み出したマッサージ情報を入力され、このマッサージ情報に基づいて治療用信号を生成し前記組パッド８に出力する治療用信号生成部６１ｃとからなる。より詳細には、低周波マイコン６１ａは、ケーブル若しくはバス（図示しない）で低周波用記憶部６１ｂ、液晶ディスプレイ１１、治療用信号生成部６１ｃと接続され、信号を送受信している。低周波マイコン６１ａが低周波記憶部６１ｂに格納されている表示情報やマッサージ情報を読出しており、バス上でこれら表示情報やマッサージ情報が送受されており、その他に低周波マイコン６１ａが低周波用記憶部６１ｂに対して指定した情報を読出し可能となるように低周波用記憶部６１ｂに対する制御信号が低周波マイコン６１ａから低周波用記憶部６１ｂに対して送信されている。低周波マイコン６１ａが低周波用記憶部６１ｂから読み出したマッサージ情報を治療用信号生成部６１ｃに送信する。低周波マイコン６１ａが低周波用記憶部６１ｂから読み出した表示情報を液晶ディスプレイ１１に送信する。ここで、低周波マイコン６１ａは、低周波用記憶部６１ｂから読み出した表示情報をそのまま液晶ディスプレイ１１に送信する以外に、表示情報に対して情報処理を施して表示情報を液晶ディスプレイ１１に送信することもでき、例えば、通常だと身体の一部のみが表示される身体表示情報に対して情報処理を施すことにより身体の一部のみを色を変更した表示情報として液晶ディスプレイ１１に送信することができる。さらに、低周波マイコン６１ａは、前記制御マイコン６１ａに対して表示情報を出力し、制御マイコン２１が介在して液晶ディスプレイ１１に出力する構成にもできる。
【００１９】
治療用信号生成部６１ｃは、低周波用記憶部６１ｂに記録されているマッサージコースに対応するマッサージ情報を低周波マイコン６１ａを介して受信し、このマッサージ情報に基づいて治療用信号を生成する。生成した治療用信号は接続している治療子である組パッド８に出力される。
【００２０】
組パッド８は、２枚のパッド８１と、治療用信号生成部６１ｃが出力される治療用信号をパッド８１に伝達する治療用信号コード８２と、電位治療器の本体１０の低周波治療用ジャック１８と接続するパッドプラグ８３とからなる。この組パッド８には、コンパクトに収納することを可能とするコードリール８５がある。このコードリール８５は、両面にパッド８１を貼着できる貼着部８５ａを備え、この２つの貼着部８５ａの間に治療用信号コード８２を巻き入れる溝であるリール部８５ｂが形成されている。さらに、詳細には、このリール部８５ｂの幅がパッドプラグ８３の手持ち部分の径より若干狭くなっており、組パッド８の２枚のパッド８１をコードリールの貼着部に貼着し、治療用信号コード８２をリール部に巻き取った後、パッドプラグ８３の手持ち部分をリール部に嵌入させて巻き取り状態を保持することができる。このように巻き取り状態を保持することができ、簡単に治療用信号コード８２がばらけたりしない。前記治療用信号生成部６１ｃは、発熱用信号生成部６１１と導子用信号生成部６１２とに分かれて構成されている。低周波マイコン６１ａを介して低周波用記憶部６１ｂからマッサージ情報を治療用信号生成部６１ｃが受け取るが、マッサージ情報も発熱部８１ａに関するマッサージ情報と導子部８１ｂに関するマッサージ情報とに分かれ、低周波マイコン６１ａにより、発熱部８１ａに関するマッサージ情報が発熱用信号生成部６１１に出力され、導子部８１ｂに関するマッサージ情報が導子用信号生成部６１２に出力される。発熱用信号生成部６１１が入力された発熱部８１ａに関するマッサージ情報に基づいて発熱部８１ａに関する治療用信号が生成され、導子用信号生成部６１２が入力された導子部８１ｂに関するマッサージ情報に基づいて導子部８１ｂに関する治療用信号が生成される。
【００２１】
この組パッド８は、発熱を生じる発熱部８１ａと電気刺激を与える導子部８１ｂとを有する施療子であり、詳細にはパッド８１に発熱部８１ａと導子部８１ｂとを有し、治療用信号コード８２も２系統に分かれ、１系統が発熱部８１ａに発熱部に関する治療用信号を送るためであり、残りの１系統が導子部８１ｂに導子部に関する治療用信号を送るためである。被治療者が操作パネル１２のヒータボタン１２ｊを押下すると、ヒータボタン１２ｊを押下されたことを操作パネル１２が制御マイコン２１を介して低周波マイコン６１ａに出力し、低周波マイコン６１ａが低周波用記憶部６１ｂから発熱部に関するマッサージ情報を読出し発熱部信号生成部６１１に出力し、発熱部信号生成部６１１が発熱部に関するマッサージ情報に基づいてヒータ信号を発熱部８１ａに出力する。
【００２２】
前記低周波用記憶部６１ｂに記憶されているマッサージ情報は、波形の種類により異なった治療を使用者に与える「たたく」、「もむ」、「おす」、「バイブ」、「さざなみ」及び「うねり」等の基本波形情報と、この基本波形情報を組み合わせてコースとしてひとまとめにした「肩コース」、「背コース」、「腰コース」、「腕・脚コース」及び「関節コース」等の自動コース情報とからなる。また、「ヒータ」等に関する温熱情報も低周波用記憶部６１ｂに記憶されている。ここで、自動コースは、基本波形情報を組み合わせたものとしたが、基本波形情報だけでなく、温熱情報との組み合わせてでもよい。使用者自身が、「たたく」、「もむ」、「おす」、「バイブ」、「さざなみ」及び「うねり」等の波形を指定して動作を行うコースを手動コースとする。この手動コースの場合は、使用者が意図した身体の場所に組パッド８を貼着させればよいが、自動コースの場合は本組合せ治療器の設計者が想定している身体の場所に貼着することでよりよい効果を期待することができるので、自動コースの場合には各コース毎に貼着位置を表示することとする。
【００２３】
「電源入／切」ボタン１２ａは、電位治療と共通であり、電源を入切するためのボタンである。自動ボタン１２ｂは、自動コース選択のためのボタン（自動コースボタン）である。「機能」ボタン１２ｃは、治療内容を波形を元に選択する際に使用するためのボタンである。「開始／停止」ボタン１２ｄは、低周波治療を行う際に治療開始のトリガとして使用するためのボタンである。「１５分／３０分」ボタン１２ｅは、治療時間の設定値を１５分若しくは３０分に交互に切り換えるためのボタンである。「強さ」ボタン１２ｆは、低周波治療の刺激の強さを調節するためのボタンであって、つよくするボタンとよわくするボタンとからなる。「はやさ」ボタン２ｇは、低周波治療の刺激のはやさを調節するためのボタンであって、早くするボタンと遅くするボタンとからなる。「極性切換」ボタン２ｈは、「標準（＋）」、「反転（−）」、「交互」若しくは「同時」と組パッド８による体感を変わらせるためのボタンである。「連続／断続」ボタン１２ｉは、「断続」若しくは「連続」に切り換えるためのボタンである。「ヒータ」ボタン２ｊは、低周波治療時に組パッド内蔵ヒータにごくわずかに通電し、組パッド８の保温効果を高めるためのボタンである。「切換」ボタン１２ｋは、電位治療から低周波治療、または、低周波治療から電位治療に切り替えるためのボタンである。
【００２４】
前記マイナスイオン発生器５０は、前記外装体の上部に脱着可能に形成され、配設した場合に統一感があるように形成されている（図５参照）。このマイナスイオン発生器５０は、イオン発生回路が実装された回路基板、電源回路、トランス、放電電極、対向電極及び送風ファンからなり、トランスで電源回路からの電圧を昇圧して放電電極から対向電極に電子が放出され、周辺の分子がマイナスイオン化され、送風ファンにより送風口から放出される。
【００２５】
次に、本実施形態に係る電位治療器の使用動作について説明する。予め被治療者は、電位治療器本体の電位治療用ジャック１９に通電シート３０のプラグ３１を挿入し、通電シート３０上にイスを置いておく。本体パネルの「電源ボタン」１２ａを押下し本体を起動状態にする。制御マイコン２１が電位治療の初期画面を液晶ディスプレイ１１に表示し、リモコン操作が可能となる。被治療者は「電圧」ボタン１４ｄを押下し所望の電圧レベルを選択し、さらに、「波形ボタン」１４ｅを押下し所望の波形を４種類の波形の中から選択し、次に、「時間」ボタン１４ｆを押下し所望の駆動時間を選択する。これらの各ボタンで、電圧、波形及び駆動時間を選択した後に「開始」ボタン１４ａを押下することでこららの制御指令が、無線通信回線を介して電位治療器の本体１０の受光部２２が受信され、かかる受光部２２は制御マイコン２１に制御指令を電気信号に変換した後に送信する。制御マイコン２１は、制御指令に基づき記憶部２３から駆動情報を読み出し、かかる駆動情報に従い回路部分２５を制御する。具体的には、回路部分２５中の高圧トランスのタップ切換、可変抵抗を制御している。すなわち、印加する電圧を変化させるためにタップを切り替え、正の出力電圧の波高値と負の出力電圧の波高値との比率を変化させるために可変抵抗を調整している。治療中は、制御マイコン２１は、被治療者に選択された波形に応じた波形図を電圧及び残り時間と供に表示画面に表示する（図６（ａ）参照）。
【００２６】
被治療者は必要に応じてリモコンの「一時停止」ボタン１４ｃを押下し、駆動を一時停止することができる。現在行っている治療とは異なる治療を行う場合には、「停止」ボタン１４ｂを押下し、再び、「電圧」ボタン１４ｄ、「波形」ボタン１４ｅ、「時間」ボタン１４ｆを押下し設定した後「開始」ボタン１４ａを押下することでできる。
【００２７】
前記マイナスイオン発生器５０は、トップパネルに開始ボタンがあり、被治療者がかかる開始ボタンを押下することでマイナスイオンを発生させる駆動がなされる。この駆動は、組合せ治療器とは独立して行われる。なお、マイナスイオン発生器の使用前後に電位治療受けることで、電位治療により身体が改善されると共に、重量してマイナスイオンによっても身体がリラックスした効果を望める。ただし、マイナスイオン発生器５０と組合せ治療器とは連携して動作しない。
【００２８】
以上のように組合せ治療器の電位治療器はリモコン１４のみによって操作され、操作パネル１２で操作されるものではない。操作パネル１２には「電源入／切」ボタン１２ａ及び「切換」ボタン１２ｋがあり、これらのボタンは直接的ではないが間接的に電位治療器に係るものである。しかしながら、このボタンを押下しても、実際に電位治療が動作することはない。したがって、最低限操作パネル１２上に電位治療を開始するボタンがないだけでもよいが、操作パネル１２上に「電圧」ボタン１４ｄがあれば電位治療中に電圧レベルを変化させたりすることが可能となるため、電位治療を開始させるボタンだけでなく、電位治療を変化させるボタンが操作パネル１２上にないことが必要となる。但し、本実施形態においては、停止して再び全て設定し直して「開始」ボタン１４ａを押下しなければ、電位治療は変化しないため、「開始」ボタン１４ａが操作パネル１２上にない限りは電位治療を変化させることもできない。電位治療が恐いのは、低周波治療器のように刺激を体感しないため、電圧レベルを変化させても使用者は通常気付かない。したがって、治療の変化があるたびにビープ音等を鳴らして使用者が電位治療の変化を認識できるようにすることが望ましい。
【００２９】
低周波治療を行う場合には以下のようになる。使用者は、組パッド８のパッドプラグ８３を電位治療器の本体１０の低周波治療用ジャック１８に挿し込む。「切換」ボタン１２ｋを押下して電位治療から低周波治療に切換がなされた場合に、低周波マイコン６１ａは自動的に低周波用記憶部６１ｂから初期画面の表示情報を読出し液晶ディスプレイ１１に出力し、この液晶ディスプレイ１１にこの初期画面が表示される。初期画面を表示した後に、次に、低周波マイコン６１ａが低周波用記憶部６１ｂから「自動コース又は手動を、自動コースボタン又は機能ボタンを押下して選択して下さい。」との文字表示情報を読出し液晶ディスプレイ１１に表示する。ここで、プラグ８３が低周波治療用ジャック１８に挿入されているか否かを示す接続ＬＥＤランプを設けてもよく組パッド８のパッドプラグ８３が低周波治療用ジャック１８に挿し込まれていない場合、若しくは、適切に挿し込まれていない場合、液晶ディスプレイ１１の表示により、使用者は組パッド８のパッドプラグ８３が低周波治療用ジャック１８に挿し込まれていない、若しくは、適切に挿し込まれていないということに気付くことができる。パッドプラグ８３が低周波治療用ジャック１８に挿し込まれているか否かは、導子用信号生成部６１２からの検査信号の出力により確認する方法、低周波治療用ジャック１８に挿し込まれると同時にオンとなるスイッチを配設する方法等により判断することができる。そして、低周波マイコン６１ａが低周波治療用ジャック１８の状態を検出し、制御マイコン２１に出力する。制御マイコン２１は前記状態を入力され、低周波治療用ジャック１８にパッドプラグ８３が挿し込まれていると判断した場合には、電位治療状態において「開始」ボタン１４ａが押下されても、電位治療を動作させず、「治療導子が接続されているため、電位治療を開始することができません。治療導子を外し、再び「開始」ボタンを押して下さい。」との表示を液晶ディスプレイ１１に行う。また、この低周波治療用ジャック１８にパッドプラグ８３が挿し込まれているか否かの検出は、電位治療中及び低周波治療中でも常時行っている。電位治療中にパッドプラグ８３が挿し込まれていると制御マイコン２１が判断した場合には、電位治療を停止し、電位治療待機状態に移行する。他方、低周波治療中にパッドプラグ８３が挿し込まれていると低周波マイコン６１ａが判断した場合には継続して治療を行うが、低周波治療中にパッドプラグ８３が挿し込まれていないと低周波マイコン６１ａが判断した場合には治療を停止し、低周波治療待機状態に移行すると共に、「治療導子が接続されていないため、低周波治療を停止しています。治療導子を挿し込んで下さい。」との表示を液晶ディスプレイ１１に行う。
【００３０】
使用者が「自動」ボタン１２ｂを押下した場合には、まず、自動コースの肩コースを示す「肩」、背コースを示す「背」及び腰コースを示す「腰」が選択可能に表示される（図６（ｂ）参照）。「自動」ボタン１２ｂを押す度に選択状態のコースが変る。３秒間「自動」ボタン１２ｂを押さなければ、その時間経過後に選択状態となっているコースが確定され、確定されたコースに該当する身体表示情報を低周波マイコン６１ａが低周波用記憶部６１ｂより読出し制御マイコン２１を介して液晶ディスプレイ１１に表示する。身体表示情報には身体の図以外に組パッド８をどこに貼着すればよいかの情報が含まれ、液晶ディスプレイ１１に表示された身体には組パッド８を貼着すべき位置が表示された身体上に重ねて表示されている（図６（ｃ）ないし図６（ｉ）を参照。この表示を貼着位置表示とする）。貼着位置表示は、自動コース毎に少なくとも１つは用意されており、好ましくは複数用意されている。これらの貼着位置表示により、使用者は組パッド８を適切な位置に貼着することが可能となり、複数の貼着位置表示を用意することにより使用者の選択の幅が増え、使用者が対象とする患部を適切に施療することが可能となる。使用者は貼着位置表示を選択し、それにより「表示している貼着位置に組パッドを貼着し、開始ボタンを押下して下さい。」との文字表示情報を低周波マイコン６１ａが低周波用記憶部６１ｂから読出し、選択された貼着位置表示が表示されている液晶ディスプレイ１１に表示する。使用者は、液晶ディスプレイ１１の身体及び文字の表示を見て、液晶ディスプレイ１１に表示された貼着位置と同様の使用者の身体の位置に貼着し、「開始／停止」ボタン１２ｄを押下する。低周波マイコン６１ａは、「開始／停止」ボタン１２ｄが押下されると、組パッド８が低周波治療用ジャック１８に挿し込まれていることを確認し、さらに、人体検出をし組パッド８が使用者に貼着されていることを確認し（検出信号をパッド８１間で送受することで実現することができる）、組パッド８のパッドプラグ８３が低周波治療用ジャック１８に挿し込まれ、且つ、使用者に組パッド８のパッド８１が貼着されている場合にのみ、低周波マイコン６１ａが使用者が押下した自動コースボタンに対応するマッサージ情報を低周波用記憶部６１ｂから読出し、治療用信号生成部６１ｃに出力する。治療用信号生成部６１ｃは、入力されるマッサージ情報に基づいて治療用信号を組パッド８に出力する。なお、組パッド８が低周波治療用ジャック１８に挿し込まれていない場合、又は、組パッド８が人体に貼着されていない場合には、その旨低周波マイコン６１ａが低周波用記憶部６１ｂから文字表示情報を読出し液晶ディスプレイ１１に表示することで使用者に伝える。ここで、人体検出は、組パッド８の一方のパッド８１と他方のパッド８１とが導通していれば、人体に貼着されている状態であると判断し、導通していなければ、人体に貼着されていない状態であると判断する。
【００３１】
次に、使用者が自動コースではなく、「機能」ボタン１２ｃにより波形種類を直接選択した場合について説明する。「機能」ボタン１２ｃを押下すると、選択可能に「たたく」、「もむ」、「おす」、「バイブ」、「さざなみ」及び「うねり」が表示画面に表示される（図６（ｍ）参照）。使用者は、「機能」ボタン１２ｃをさらに押下して、続けて「開始／停止」ボタン１２ｄを押下する。低周波マイコン６１ａは、「開始／停止」ボタン１２ｄが押下されると、組パッド８が低周波治療用ジャック１８に挿し込まれていることを確認し、さらに、人体検出をし組パッド８が使用者に貼着されていることを確認し、組パッド８のパッドプラグ８３が低周波治療用ジャック１８に挿し込まれ、且つ、使用者に組パッド８のパッド８１が貼着されている場合にのみ、低周波マイコン６１ａが使用者が選択した「バイブ」の波形に対応するマッサージ情報を低周波用記憶部６１ｂから読出し、治療用信号生成部６１ｃに出力する。治療用信号生成部６１ｃは、入力されるマッサージ情報に基づいて治療用信号を組パッド８に出力する（ここで、初期状態の連続／断続は連続とする）。なお、組パッド８が低周波治療用ジャック１８に挿し込まれていない場合、又は、組パッド８が人体に貼着されていない場合には、前記自動コースの場合と同様である。施療中には、低周波マイコン６１ａが低周波用記憶部６１ｂより表示情報を読み出すことで図６（ｎ）に示すような表示となる。この図６（ｎ）の左上の「機能」は自動コースでなく波形種類が選択されて施療が行われていることを示し、同図右上の「あと１５分」は施療の残り時間を示し時間経過と共に少なくなっていき、同図左下の「たたく」は波形種類を示し、「強さ５」は組パッド８に強さ５のたたくの波形が出力されていることを示し、「速さ５」は波形の周波数を増減、若しくは、波形周期の長短である速さの程度が５であることを示す。波形図は、実際に出力している波形をそのまま波形図としてもよいし、実際に出力している波形を簡略化した波形図であってもよい。さらには、予め波形毎に低周波用記憶部６１ｂに波形図を格納しておき、実際の波形図とは異なるがかかる低周波用記憶部６１ｂに格納している波形図を読み出して表示してもよい。このように予め波形図を用意しておくことは、実際の波形を検出する部分が必要でなく、さらに、実際の波形とは異なるかもしれないが被治療者が認識し易い波形図とすることで、視覚的に波形を捉え、波形を選択する場合の一基準として使用者が用いることができる。
【００３２】
以上のように組合せ治療器の低周波治療器は操作パネル１２のみによって操作され、リモコン１４で操作されるものではない。電位治療器の使用態様としては、使用者は通電シート３０に横になっての使用、通電シート３０に椅子を載置しその椅子の上での使用等がある。電位治療器が要注意治療器であること以外に、このような使用態様で電位治療器は使用されること、及び、組合せ治療器本体から使用者が若干離間した状態での使用となることから、本実施形態に係る電位治療器においては、電位治療器の操作をリモコン１４で行い、低周波治療器の操作を操作パネル１２で行うことが望ましい。低周波治療器の場合には、延長コードを使用することもできるが、使用者と本体との距離は近接したものが多い。
【００３３】
以上に、電位治療及び低周波治療のそれぞれについて各構成要素の動作と共に説明したが、図７に示すステートチャート図に基づき説明する。
まず、電源が投入されると、電位治療状態の電位治療待機状態に移行し、待機画面を液晶ディスプレイ１１に表示する。待機画面には、「電位治療が選択されています」、「電位治療はリモコンで操作できます」、「低周波治療を行うのであれば、切換ボタンを押して下さい」とのテキスト情報を順次表示する。現在の状態は電位治療状態であるため、低周波治療を行うためには、「切換」ボタン１２ｋの押下が必要となる。
【００３４】
電位治療待機状態からは、「開始」ボタン１４ａを押下することで電位治療動作状態に移行することができ、電位治療動作状態に移行すると、前記した電位治療の動作及び動作表示がなされる。この電位治療動作状態からは、「一時停止」ボタン１４ｃを押下することで電位治療一時停止状態に移行することができ、電位治療一時停止状態に移行すると、電位治療の動作が一時停止されると共に、電位治療が一時停止している旨の表示が液晶ディスプレイ１１で行われる。再び、「一時停止」ボタン１４ｃが押下されると、前記電位治療動作状態に移行する。
【００３５】
電位治療状態で、「切換」ボタン１２ｋが押下されると、低周波治療状態の低周波治療待機状態に移行し、待機画面を液晶ディスプレイ１１に表示する。待機画面には、「低周波治療が選択されています」、「低周波治療は操作パネルで操作できます」、「電位治療を行うのであれば、切換ボタンを押して下さい」とのテキスト情報を順次表示する。この低周波治療待機状態からは、「機能」ボタン１２ｃ又は「自動」ボタン１２ｂを押下することで、低周波治療準備状態に移行することができ、この状態では準備表示がなされる。この準備表示とは、前記した自動コース又は手動コースの選択等を行うための表示である。低周波治療準備状態で治療に関する設定を行った上で「開始／停止」ボタン１２ｄを押下することで、低周波治療動作状態、低周波治療＋ヒータ動作状態及びヒータ単独動作状態のいずれかに移行し、それぞれ動作及び動作表示を行う。ここで、ヒータ単独動作状態に移行する設定の場合で、人体を検知することができなかったときには、予熱動作状態に移行する。
【００３６】
なお、終了状態及び終了状態になるためのイベント名が図７には記載されていないが、「電源ボタン」１２ａが押下されることで、どのような状態にあったとしても、終了状態に移行する。
【００３７】
本実施形態に係る組合せ治療器によれば、組合せ治療器を構成する要注意治療器である電位治療器を操作する場合にはリモコン１４のみによって行うことができ、本体に配設された操作パネル１２によっては行うことができないので、使用者がリモコン１４を携帯している場合には、第三者が電位治療器を操作することはできず安全に治療を受けることができると共に、使用者自身も第三者が操作することができないことを認識することで安心してリラックスした状態で治療を受けることができる。また、組合せ治療器を構成する他治療器である低周波治療器が操作パネル１２のみによって操作することができ、すなわち、リモコン１４では電位治療器のみ操作でき、リモコン１４では低周波治療器を操作できないので、使用者がリモコン１４にて低周波治療器を操作しようとして電位治療器を誤操作することがなく、リモコン１４を使用することは電位治療器を操作することになって、慎重を期すため誤操作の可能性を低減することができる。また、前記リモコン１４で電位治療に係る設定を全て行った後にまとめて本体に制御信号を送信するので、一設定毎に制御信号を送信する場合には使用者はその設定を一々確認しない傾向にあり、また、このような確認が面倒で利便性に劣るが、全設定を行って制御信号を送信することで最終的な確認を全設定を行うだけで確認を行い易く、利便性を低下させることなく誤操作を防止することができる。
【００３８】
（本発明の第２の実施形態）
本発明の第２の実施形態に係る組合せ治療器について、図８に基づき説明する。図８は本実施形態に係る組合せ治療器の操作パネル、リモコンの正面図である。
本実施形態に係る組合せ治療器は、前記第１の実施形態に係る組合せ治療器と同様に構成され、操作パネル１２の操作をできないようにするロック機能を有し、前記リモコン１４のみによってこのロック機能の有効及び無効を操作する構成である。
【００３９】
ロック機能が有効とされることで、操作パネル１２上の低周波治療器に操作に直接関係しない電力の供給の可否を決定する「電源入／切」ボタン１２ａ以外のボタンを操作しても制御マイコン２１及び低周波マイコン６１ａには、入力信号が入力されるものの制御を行わず、この入力信号を破棄すると共に、液晶ディスプレイ１１に「現在ロックが有効となっているために操作パネルを操作することはできません。ロックを無効にした後に、操作パネルを操作して下さい」との表示を行う。
【００４０】
リモコン１４の「ロック」ボタン１４ｇが押下されると、直ちに制御マイコン２１及び低周波マイコン６１ａにロックに係る入力信号が入力され、制御マイコン２１及び低周波マイコン６１ａはＥＥＰＲＯＭ又はフラッシュメモリの不揮発性で且つ書き換え可能な記録手段にロック状態であることを示すロックフラグを立てる。このようにすることで、第三者が「電源入／切」ボタン１２ａを押下し、再び「電源入／切」ボタン１２ａを押下して再起動させても、ロック状態であることが記録手段にロックフラグとして残っているため、継続してロック状態を維持することができる。したがって、制御マイコン２１及び低周波マイコン６１ａの起動直後の初期処理で、前記ロックフラグを参照する必要がある。
【００４１】
また、リモコン１４がロック状態を「ロック」LED１５ｇで使用者に知らせ、使用者がわざわざ液晶ディスプレイ１１を見なくとも、ロック状態を確認することができる。このような「ロック」LED１５ｇを設けた場合には、ロックフラグとの同期を取る必要があるため、ロック状態になった場合には、制御マイコン２１又はリモコン１４からロック状態に関する信号のやり取りを行う必要がある。
【００４２】
このように本実施形態に係る組合せ治療器によれば、操作パネル１２の操作をできないようにするロック機能を有し、前記リモコン１４のみによってロック機能の有効及び無効を操作するので、使用者がリモコン１４を携帯している場合であって、ロック機能を有効にしているときには、リモコン１４のみによって組合せ治療器を構成する治療器を操作することができ、第三者が治療器を操作することを完全に防止することができ、安全に使用ができると共に、第三者による治療器の操作がないとう安心感のもとでリラックスして治療を受けることができる。
【００４３】
（その他の実施形態）
前記各実施形態に係る組合せ治療器においては、電位治療器を要注意治療器とし、低周波治療器を他治療器とした組合せ治療器であるが、もみ玉及びエアーセルを有した椅子式マッサージ機、指圧治療器、磁気治療器、冷却治療器、赤外線治療器、紫外線治療器、レーザー治療器、ローラーマッサージャ、身体の皮膚表面に温熱感を与えるヒーターと生体の内部温度を上昇させる赤色光領域中の発光ダイオードを組み合わせたヒーター付赤色光治療器、半導体レーザー光を使用して皮膚組織における真皮層を活性化させ該組織が有する代謝機能を向上させてしわを取るしわ取り用レーザー治療器、光源の光を偏光フィルターで偏光させて患部に向けて照射する偏光を用いた光治療器、爪又は関節付近の骨塊或いはその周辺のいわゆるツボを叩打することにより、各種疾患の治療に使用することのできる叩打ツボ治療器、並びに、状電極間に於いて長時間にわたり安定かつ持続的なアーク放電を生起させ安定した治療効果を期待することができるアーク放電治療器を組合せ一方を要注意治療器とし、他方を他治療器とした組合せ治療器を構成することもできる（２つだけではなく、３つ以上の治療器を組み合わせてもよい）。さらには、治療器以外に、パーソナルコンピュータ、テレビ、ポータブルＤＶＤ再生機、オーディオ機器、シアターセット、ヘッドフォン、ホットカーペット、除湿機、加湿器等の一般家電を加えた構成の組合せ治療器であってもよい。例えば、電位治療器を要注意治療器とし、椅子式マッサージ機を他治療器とした組合せ治療器を構成することができる。具体的には、通常椅子式マッサージ機の制御盤を格納する椅子式マッサージ機の底部に、別回路で電位治療器の回路を配設し、例えば、椅子式マッサージ機のひじ掛け部周辺に電位治療用ジャック１９を設けることで、後は、使用者が通電シート３０を椅子式マッサージ機近くに広げ、プラグ３１を電位治療用ジャック１９に挿すことで使用することができる。さらに、この電位治療器と椅子式マッサージ機との組合せ治療器に、ポータブルＤＶＤ再生機を組み合わせた構成にすることもできる。
【図面の簡単な説明】
【００４４】
【図１】本発明の第１の実施形態に係る組合せ治療器の本体、通電シート等の斜視図である。
【図２】本発明の第１の実施形態に係る組合せ治療器の操作パネル、リモコンの正面図である。
【図３】本発明の第１の実施形態に係る組合せ治療器の全体ブロック図である。
【図４】本発明の第１の実施形態に係る組合せ治療器の低周波回路部のブロック構成図である。
【図５】本発明の第１の実施形態に係るマイナスイオン発生器を配設した組合せ治療器の斜視図及び背面図である。
【図６】本発明の第１の実施形態に係る組合せ治療器の表示部の表示態様図である。
【図７】本発明の第１の実施形態に係る組合せ治療器のステートチャート図である。
【図８】本発明の第２の実施形態に係る組合せ治療器の操作パネル、リモコンの正面図である。
【符号の説明】
【００４５】
１０  組合せ治療器の本体
１１  液晶ディスプレイ
１２  操作パネル
１２ａ  「電源入／切」ボタン
１２ｂ  「自動」ボタン
１２ｃ  「機能」ボタン
１２ｄ  「開始／停止」ボタン
１２ｅ  「１５分／３０分」ボタン
１２ｆ  「強さ」ダイヤル
１２ｇ  「速さ」ボタン
１２ｈ  「極性切換」ボタン
１２ｉ  「連続／断続」ボタン
１２ｊ  「ヒータ」ボタン
１２ｋ  「切換」ボタン
１２ｌ  「ブザー」ボタン
１２ｍ  「電源」LED
１２ｎ  「電位治療」LED
１２ｏ  「低周波治療」LED
１３  スピーカ
１４  リモコン
１４ａ  「開始」ボタン
１４ｂ  「停止」ボタン
１４ｃ  「一時停止」ボタン
１４ｄ  「電圧」ボタン
１４ｅ  「波形」ボタン
１４ｆ  「時間」ボタン
１４ｇ  「ロック」ボタン
１５ｄ  「電圧」LED
１５ｅ  「波形」LED
１５ｆ  「時間」LED
１５ｇ  「ロック」LED
１６  リモコン収納部
１８  低周波治療用ジャック
１９  電位治療用ジャック
２０  電気回路部
２１  制御マイコン
２２  受光部
２３  記憶部
２４  高圧トランス
２５  回路部分
３０  通電シート
３１  プラグ
４０  局所導子
４１  先端部分
４２  手持ち部分
４３  局所導子用ジャック
５０  マイナスイオン発生器
６０  低周波回路部
６１ａ  低周波マイコン
６１ｂ  低周波用記憶部
６１ｃ  治療用信号生成部
６１１  発熱部信号生成部
６１２  導子部信号生成部
７  電源ケーブル
７１  電源プラグ
７２  ケーブル
８  組パッド
８１  パッド
８１ａ  発熱部
８１ｂ  導子部
８２  治療用信号コード
８３  パッドプラグ
８４  替パッド
８５  コードリール
８５ａ  貼着部
８５ｂ  リール部
【図１】
2006149558.tif 000003
【図２】
2006149558.tif 000004
【図３】
2006149558.tif 000005
【図４】
2006149558.tif 000006
【図５】
2006149558.tif 000007
【図６】
2006149558.tif 000008
【図７】
2006149558.tif 000009
【図８】
2006149558.tif 000010